(57)【要約】【課題】回動軸として丸軸を用いることなく、表示画面を所定の角度傾斜させることが可能な表示画面支持機構を提供する。【解決手段】この表示画面支持機構１では、液晶表示部支持部材２は、板状の支持軸４を回動軸として穴部２ｄの角度範囲で穴部２ｄの円心側の根元部２ｅを回動中心として回動可能に形成され、板状の支持軸４は、台座側支持部材３の扇形状の穴部３ｄに、穴部３ｄの角度範囲で穴部３ｄの円心側の根元部３ｅを回動中心として回動可能に支持される。また、根元部２ｅおよび根元部３ｅが液晶表示部４０の垂直荷重を受け、穴部２ｄおよび穴部３ｄの半径方向の長さＬ１およびＬ２は、支持軸４の半径方向の幅Ｗ２よりも大きく、板状の支持軸４の厚みｔ１と、根元部２ｅおよび根元部３ｅの支持軸４の厚み方向の幅Ｗ１およびＷ３とは実質的に等しく、穴部２ｄの角度および穴部３ｄの角度の和は、９０度以上である。【選択図】図７
2007248542.tif 000002
【特許請求の範囲】
【請求項１】
表示画面を支持する表示画面側支持部材と、台座側に設けられる台座側支持部材とを備えた表示画面支持機構において、
板状に形成された板金製の支持軸と、
前記表示画面側支持部材と前記台座側支持部材とを互いに押圧するバネ部材とをさらに備え、
前記表示画面側支持部材は、前記板状の支持軸が挿入される扇形状の第１穴部を有するとともに、前記扇形状の第１穴部の根元部は、上側に位置するように配置され、
前記台座側支持部材は、前記板状の支持軸が挿入される扇形状の第２穴部を有するとともに、前記扇形状の第２穴部の根元部は、下側に位置するように配置され、
前記表示画面側支持部材は、前記支持軸を回動軸として、前記表示画面側支持部材の扇形状の第１穴部の角度範囲と前記台座側支持部材の扇形状の第２穴部の角度範囲との和の角度範囲で回動可能であり、
前記表示画面側支持部材を所定の方向に回動させた場合に、最初に、前記表示画面側支持部材および前記支持軸が、前記台座側支持部材の扇形状の第２穴部の円心側の根元部を回動中心として前記台座側支持部材の扇形状の第２穴部の角度範囲で回動し、その後、前記表示画面側支持部材が、前記表示画面側支持部材の扇形状の第１穴部の円心側の根元部を回動中心として前記表示画面側支持部材の扇形状の第１穴部の角度範囲で回動し、
前記表示画面側支持部材の第１穴部の根元部および前記台座側支持部材の第２穴部の根元部に、それぞれ、前記板状の支持軸の上部および下部が当接することにより、前記表示画面側支持部材の第１穴部の根元部および前記台座側支持部材の第２穴部の根元部が前記表示画面の垂直荷重を受けるように構成され、
前記扇形状の第１穴部の半径方向の長さおよび前記扇形状の第２穴部の半径方向の長さは、前記板状の支持軸の前記半径方向の幅よりも大きくなるように形成されており、
前記板状の支持軸の厚みと、前記第１穴部の根元部および前記第２穴部の根元部の前記支持軸の厚み方向の幅とは実質的に等しく、
前記扇形状の第１穴部の角度および前記扇形状の第２穴部の角度は、９０度未満であり、前記扇形状の第１穴部の角度および前記扇形状の第２穴部の角度の和は、９０度以上である、表示画面支持機構。
【請求項２】
板状に形成された板金製の支持軸と、
表示画面を支持するとともに、前記板状の支持軸が挿入される扇形状の第１穴部を有する表示画面側支持部材と、
台座側に設けられ、前記板状の支持軸が挿入される扇形状の第２穴部を有する台座側支持部材とを備え、
前記表示画面側支持部材は、前記支持軸を回動軸として、前記表示画面側支持部材の扇形状の第１穴部の角度範囲と前記台座側支持部材の扇形状の第２穴部の角度範囲との和の角度範囲で回動可能である、表示画面支持機構。
【請求項３】
前記扇形状の第１穴部の角度および前記扇形状の第２穴部の角度は、９０度未満であり、前記扇形状の第１穴部の角度および前記扇形状の第２穴部の角度の和は、９０度以上である、請求項２に記載の表示画面支持機構。
【請求項４】
前記表示画面側支持部材を所定の方向に回動させた場合に、最初に、前記表示画面側支持部材および前記支持軸が、前記台座側支持部材の扇形状の第２穴部の円心側の根元部を回動中心として前記台座側支持部材の扇形状の第２穴部の角度範囲で回動し、その後、前記表示画面側支持部材が、前記表示画面側支持部材の扇形状の第１穴部の円心側の根元部を回動中心として前記表示画面側支持部材の扇形状の第１穴部の角度範囲で回動する、請求項２または３に記載の表示画面支持機構。
【請求項５】
前記表示画面側支持部材の第１穴部の根元部は、上側に位置するように配置され、
前記台座側支持部材の第２穴部の根元部は、下側に位置するように配置され、
前記表示画面側支持部材の第１穴部の根元部および前記台座側支持部材の第２穴部の根元部に、それぞれ、前記板状の支持軸の上部および下部が当接することにより、前記表示画面側支持部材の第１穴部の根元部および前記台座側支持部材の第２穴部の根元部が前記表示画面の垂直荷重を受けるように構成されている、請求項４に記載の表示画面支持機構。
【請求項６】
前記扇形状の第１穴部の半径方向の長さおよび前記扇形状の第２穴部の半径方向の長さは、前記板状の支持軸の前記半径方向の幅よりも大きくなるように形成されている、請求項４または５に記載の表示画面支持機構。
【請求項７】
前記板状の支持軸の厚みと、前記第１穴部の根元部および前記第２穴部の根元部の前記支持軸の厚み方向の幅とは実質的に等しい、請求項４〜６のいずれか１項に記載の表示画面支持機構。
【請求項８】
前記表示画面側支持部材と前記台座側支持部材とは、バネ部材により互いに押圧されている、請求項２〜７のいずれか１項に記載の表示画面支持機構。
【発明の詳細な説明】
【技術分野】
【０００１】
この発明は、表示画面支持機構に関する。
【背景技術】
【０００２】
従来、表示画面を所定の角度傾斜させた状態で支持することが可能な表示画面支持機構が知られている。（たとえば、特許文献１〜３参照）。
【０００３】
上記特許文献１に記載の表示画面支持機構は、台座側に取り付けられるスタンド支柱と、表示画面側に取り付けられるスタンド支柱と、台座側に取り付けられるスタンド支柱および表示画面側に取り付けられるスタンド支柱を丸軸を中心に回動可能に連結するスライド可能な連結金具とを備える。この特許文献１に記載の表示画面支持機構では、連結金具が一方へスライドされることによって表示画面の角度が固定され、他方へスライドされることによって表示画面が９０度回動可能に支持される。
【０００４】
また、上記特許文献２に記載の表示画面支持機構は、台座と表示画面とに固定されるとともに、台座と表示画面とを９０度回動可能に支持するヒンジユニットを備える。このヒンジユニットは、台座に固定される部材（台座側支持部材）と表示画面に固定される部材（表示画面側支持部材）とを有する。また、明示されていないが、台座に固定される部材（台座側支持部材）と表示画面に固定される部材（表示画面側支持部材）とは、丸軸によって回動可能に連結されていると考えられる。
【０００５】
また、上記特許文献３に記載の表示画面支持機構は、表示画面と台座とを回動可能に支持するとともに突起部を有する丸軸と、丸軸の回動を規制するアクチュエータとを備える。この特許文献３に記載の表示画面支持機構では、通常の表示画面の回動可能な角度範囲が４０度に設定される。また、アクチュエータの規制を解除することにより、表示画面が９０度回動される。
【０００６】
【特許文献１】特開２００５−１４０８０７号公報
【特許文献２】特開２００１−７５４８６号公報
【特許文献３】特開２００２−１９６６８６号公報
【発明の開示】
【発明が解決しようとする課題】
【０００７】
しかしながら、上記特許文献１〜３に記載の表示画面支持機構では、回動軸として丸軸を用いているため、丸軸の軸方向のずれを防止するために、Ｃリングなどの抜け止め部材を装着するための溝加工などを丸軸の外周に沿って行う必要があり、その結果、回動軸の加工が複雑になるという問題点がある。
【０００８】
この発明は、上記のような課題を解決するためになされたものであり、この発明の１つの目的は、回動軸として丸軸を用いることなく、表示画面を所定の角度傾斜させることが可能な表示画面支持機構を提供することである。
【課題を解決するための手段および発明の効果】
【０００９】
この発明の第１の局面による表示画面支持機構は、表示画面を支持する表示画面側支持部材と、台座側に設けられる台座側支持部材とを備えた表示画面支持機構において、板状に形成された板金製の支持軸と、表示画面側支持部材と台座側支持部材とを互いに押圧するバネ部材とをさらに備え、表示画面側支持部材は、板状の支持軸が挿入される扇形状の第１穴部を有するとともに、扇形状の第１穴部の根元部は、上側に位置するように配置され、台座側支持部材は、板状の支持軸が挿入される扇形状の第２穴部を有するとともに、扇形状の第２穴部の根元部は、下側に位置するように配置され、表示画面側支持部材は、支持軸を回動軸として、表示画面側支持部材の扇形状の第１穴部の角度範囲と台座側支持部材の扇形状の第２穴部の角度範囲との和の角度範囲で回動可能であり、表示画面側支持部材を所定の方向に回動させた場合に、最初に、表示画面側支持部材および支持軸が、台座側支持部材の扇形状の第２穴部の円心側の根元部を回動中心として台座側支持部材の扇形状の第２穴部の角度範囲で回動し、その後、表示画面側支持部材が、表示画面側支持部材の扇形状の第１穴部の円心側の根元部を回動中心として表示画面側支持部材の扇形状の第１穴部の角度範囲で回動し、表示画面側支持部材の第１穴部の根元部および台座側支持部材の第２穴部の根元部に、それぞれ、板状の支持軸の上部および下部が当接することにより、表示画面側支持部材の第１穴部の根元部および台座側支持部材の第２穴部の根元部が表示画面の垂直荷重を受けるように構成され、扇形状の第１穴部の半径方向の長さおよび扇形状の第２穴部の半径方向の長さは、板状の支持軸の半径方向の幅よりも大きくなるように形成されており、板状の支持軸の厚みと、第１穴部の根元部および第２穴部の根元部の支持軸の厚み方向の幅とは実質的に等しく、扇形状の第１穴部の角度および扇形状の第２穴部の角度は、９０度未満であり、扇形状の第１穴部の角度および扇形状の第２穴部の角度の和は、９０度以上である。
【００１０】
この第１の局面による表示画面支持機構では、板状に形成された板金製の支持軸を設けるとともに、表示画面を支持する表示画面側支持部材に、板状の支持軸が挿入される扇形状の第１穴部を設け、かつ、台座側に設けられる台座側支持部材に、板状の支持軸が挿入される扇形状の第２穴部を設けることによって、板状の支持軸を回動軸として用いることができる。これにより、回動軸として丸軸を用いることなく、表示画面を所定の角度傾斜させることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、表示画面側支持部材を、板状の支持軸を回動軸として、表示画面側支持部材の扇形状の第１穴部の角度範囲と台座側支持部材の扇形状の第２穴部の角度範囲との和の角度範囲で回動可能に形成することによって、第１穴部の角度範囲または第２穴部の角度範囲を大きく設定することなく、板状の支持軸により、大きい角度範囲で表示画面支持部材を回動させることができる。また、扇形状の第１穴部の角度および扇形状の第２穴部の角度を、９０度未満に設定し、扇形状の第１穴部の角度および扇形状の第２穴部の角度の和を、９０度以上に設定することによって、表示画面を９０度以上傾斜させることができる。これにより、台座と表示画面とを平行に配置することができる。このため、梱包体積を小さくすることができるので、製品出荷時において、一度に運搬することのできる数を増やすことができる。
【００１１】
また、第１の局面による表示画面支持機構では、表示画面側支持部材を所定の方向に回動させた場合に、最初に、表示画面側支持部材および支持軸が、台座側支持部材の扇形状の第２穴部の円心側の根元部を回動中心として台座側支持部材の扇形状の第２穴部の角度範囲で回動し、その後、表示画面側支持部材が、表示画面側支持部材の扇形状の第１穴部の円心側の根元部を回動中心として表示画面側支持部材の扇形状の第１穴部の角度範囲で回動するように構成することによって、支持軸は、表示画面側支持部材を回動する際に、第２穴部の円心側の根元部の両端部および第１穴部の円心側の根元部の両端部によって回動中心の位置がずれることが抑制される。このため、容易に、扇形状の角度範囲で表示画面側支持部材および支持軸を回動させることができる。また、表示画面側支持部材の第１穴部の根元部を上側に位置するように配置し、台座側支持部材の第２穴部の根元部を下側に位置するように配置し、表示画面側支持部材の第１穴部の根元部および台座側支持部材の第２穴部の根元部に、それぞれ、板状の支持軸の上部および下部を当接させることにより、表示画面側支持部材の第１穴部の根元部および台座側支持部材の第２穴部の根元部が表示画面の垂直荷重を受けるように構成することによって、回動中心である第１穴部の根元部および第２穴部の根元部に表示画面の垂直荷重が加わるため、表示画面の回動動作を安定させることができる。
【００１２】
また、第１の局面による表示画面支持機構では、扇形状の第１穴部の半径方向の長さおよび扇形状の第２穴部の半径方向の長さを、板状の支持軸の半径方向の幅よりも大きくなるように形成することによって、表示画面側支持部材を回動させる際に、第１穴部の根元部および第２穴部の根元部に上部および下部がそれぞれ当接する支持軸の下部および上部がそれぞれ第１穴部および第２穴部の弧状部分に接触することを抑制することができる。これにより、表示画面の回動動作を安定させることができる。また、板状の支持軸の厚みと、第１穴部の根元部および第２穴部の根元部の支持軸の厚み方向の幅とを実質的に等しくすることによって、支持軸が回動中心となる第１穴部の根元部および第２穴部の根元部からずれることを抑制することができる。これにより、表示画面の回動動作を安定させることができる。また、表示画面側支持部材と台座側支持部材とを、バネ部材により互いに押圧することによって、表示画面側支持部材と台座側支持部材との間に、表示画面の回動を抑制する摩擦力を発生させることができる。これにより、表示画面が自重によって回動することを抑制することができる。
【００１３】
この発明の第２の局面による表示画面支持機構は、板状に形成された板金製の支持軸と、表示画面を支持するとともに、板状の支持軸が挿入される扇形状の第１穴部を有する表示画面側支持部材と、台座側に設けられ、板状の支持軸が挿入される扇形状の第２穴部を有する台座側支持部材とを備え、表示画面側支持部材は、支持軸を回動軸として、表示画面側支持部材の扇形状の第１穴部の角度範囲と台座側支持部材の扇形状の第２穴部の角度範囲との和の角度範囲で回動可能である。
【００１４】
この第２の局面による表示画面支持機構では、上記のように、板状に形成された板金製の支持軸を設けるとともに、表示画面を支持する表示画面側支持部材に、板状の支持軸が挿入される扇形状の第１穴部を設け、かつ、台座側に設けられる台座側支持部材に、板状の支持軸が挿入される扇形状の第２穴部を設けることによって、板状の支持軸を回動軸として用いることができる。これにより、回動軸として丸軸を用いることなく、表示画面を所定の角度傾斜させることができる。この場合、板状に形成された板金製の支持軸は、プレス加工により容易に穴加工や形状の加工を行うことができるので、丸軸の外周面に沿って溝加工などを行う場合と異なり、回動軸の加工が複雑になることもない。また、表示画面側支持部材を、板状の支持軸を回動軸として、表示画面側支持部材の扇形状の第１穴部の角度範囲と台座側支持部材の扇形状の第２穴部の角度範囲との和の角度範囲で回動可能に形成することによって、第１穴部の角度範囲または第２穴部の角度範囲を大きく設定することなく、板状の支持軸により、大きい角度範囲で表示画面支持部材を回動させることができる。
【００１５】
この第２の局面による表示画面支持機構において、好ましくは、扇形状の第１穴部の角度および扇形状の第２穴部の角度は、９０度未満であり、扇形状の第１穴部の角度および扇形状の第２穴部の角度の和は、９０度以上である。このように構成すれば、表示画面を９０度以上傾斜させることができる。これにより、台座と表示画面とを平行に配置することができる。このため、梱包体積を小さくすることができるので、製品出荷時において、一度に運搬することのできる数を増やすことができる。
【００１６】
この第２の局面による表示画面支持機構において、好ましくは、表示画面側支持部材を所定の方向に回動させた場合に、最初に、表示画面側支持部材および支持軸が、台座側支持部材の扇形状の第２穴部の円心側の根元部を回動中心として台座側支持部材の扇形状の第２穴部の角度範囲で回動し、その後、表示画面側支持部材が、表示画面側支持部材の扇形状の第１穴部の円心側の根元部を回動中心として表示画面側支持部材の扇形状の第１穴部の角度範囲で回動する。このように構成すれば、支持軸は、表示画面側支持部材を回動する際に、第２穴部の円心側の根元部の両端部および第１穴部の円心側の根元部の両端部によって回動中心の位置がずれることが抑制される。このため、容易に、扇形状の角度範囲で表示画面側支持部材および支持軸を回動させることができる。
【００１７】
この場合、好ましくは、表示画面側支持部材の第１穴部の根元部は、上側に位置するように配置され、台座側支持部材の第２穴部の根元部は、下側に位置するように配置され、表示画面側支持部材の第１穴部の根元部および台座側支持部材の第２穴部の根元部に、それぞれ、板状の支持軸の上部および下部が当接することによって、表示画面側支持部材の第１穴部の根元部および台座側支持部材の第２穴部の根元部が表示画面の垂直荷重を受けるように構成されている。このように構成すれば、回動中心である第１穴部の根元部および第２穴部の根元部に表示画面の垂直荷重が加わるため、表示画面の回動動作を安定させることができる。
【００１８】
上記した扇形状の第１穴部の根元部および扇形状の第２穴部の根元部を回動中心として回動させる構成において、好ましくは、扇形状の第１穴部の半径方向の長さおよび扇形状の第２穴部の半径方向の長さは、板状の支持軸の半径方向の幅よりも大きくなるように形成されている。このように構成すれば、表示画面側支持部材を回動させる際に、第１穴部の根元部および第２穴部の根元部に上部および下部がそれぞれ当接する支持軸の下部および上部がそれぞれ第１穴部および第２穴部の弧状部分に接触することを抑制することができる。これにより、表示画面の回動動作を安定させることができる。
【００１９】
上記した扇形状の第１穴部の根元部および扇形状の第２穴部の根元部を回動中心として回動させる構成において、好ましくは、板状の支持軸の厚みと、第１穴部の根元部および第２穴部の根元部の支持軸の厚み方向の幅とは実質的に等しい。このように構成すれば、支持軸が回動中心となる第１穴部の根元部および第２穴部の根元部からずれることを抑制することができる。これにより、表示画面の回動動作を安定させることができる。
【００２０】
この第２の局面による表示画面支持機構において、好ましくは、表示画面側支持部材と台座側支持部材とは、バネ部材により互いに押圧されている。このように構成すれば、表示画面側支持部材と台座側支持部材との間に、表示画面の回動を抑制する摩擦力を発生させることができる。これにより、表示画面が自重によって回動することを抑制することができる。
【発明を実施するための最良の形態】
【００２１】
以下、本発明を具体化した実施形態を図面に基づいて説明する。
【００２２】
図１および図２は、本発明の一実施形態による表示画面支持機構が設けられた液晶表示装置の全体構成を示す側面図である。図３は、図１に示した一実施形態による液晶表示装置の液晶表示部を取り外した状態を示す斜視図である。図４は、図１に示した一実施形態による表示画面支持機構の全体構成を示した斜視図である。図５〜図１２は、図４に示した本発明の一実施形態による表示画面支持機構の詳細構造を示す図である。まず、図１〜図１２を参照して、本発明の一実施形態による表示画面支持機構１の構造について説明する。
【００２３】
本発明の一実施形態による表示画面支持機構１は、図１に示すように、液晶表示装置３０の液晶表示部４０を支持するために設けられている。この表示画面支持機構１は、台座５０に取り付けられている。また、表示画面支持機構１は、液晶表示部４０を台座５０に対して矢印Ａ方向に９０度（図２参照）または矢印Ｂ方向に１０度回動可能に支持している。また、表示画面支持機構１は、液晶表示部４０を台座５０に対して所定の角度傾斜させた状態で支持することが可能なように構成されている。
【００２４】
また、表示画面支持機構１は、図４および図５に示すように、液晶表示部支持部材２と、一対の台座側支持部材３と、板金製の板状の支持軸４と、板金製の抜け止め部材５と、液晶表示部支持部材２側に配置される一対の板バネ６と、台座側支持部材３側に配置される一対の板バネ７とを備えている。なお、液晶表示部支持部材２は、本発明の「表示画面側支持部材」の一例である。
【００２５】
また、液晶表示部支持部材２は、図４および図５に示すように、表示部取付部２ａと、一対の回動部２ｂとを含んでいる。また、液晶表示部支持部材２の表示部取付部２ａには、４つのねじ挿入孔２ｃが設けられている。また、液晶表示部支持部材２の一対の回動部２ｂは、表示部取付部２ａの両側端部から、それぞれ、表示部取付部２ａの表面に対して垂直方向に延びるように設けられている。
【００２６】
ここで、本実施形態では、図５に示すように、液晶表示部支持部材２の一対の回動部２ｂの下端部近傍には、扇形状の穴部２ｄが設けられている。また、穴部２ｄは、本発明の「第１穴部」の一例である。また、扇形状の穴部２ｄは、図５および図１１に示すように、板状の支持軸４を挿入するために設けられている。また、扇形状の穴部２ｄは、図７に示すように、円心側の根元部２ｅが上側に位置するように配置されているとともに、円心側の根元部２ｅが支持軸４の上面と当接される。これにより、扇形状の穴部２ｄの根元部２ｅが液晶表示部支持部材２を介して液晶表示部４０の垂直荷重を受けるように構成されている。また、扇形状の穴部２ｄは、図７および図８に示すように、垂直方向から一方に開く角度α１（４５度）の中心角と他方に開く角度β１（５度）の中心角とを有する。また、図７に示すように、扇形状の穴部２ｄの根元部２ｅの幅Ｗ１（図８参照）は、後述する支持軸４の厚みｔ１（図５参照）と実質的に同じ大きさを有する。また、液晶表示部支持部材２は、板状の支持軸４に支持された扇形状の穴部２ｄの根元部２ｅを中心にして、支持軸４に対して扇形状の角度範囲（本実施形態では、α１＋β１＝５０度）で回動可能に構成されている。すなわち、板状の支持軸４は、液晶表示部支持部材２の回動軸として機能する。また、図７に示すように、扇形状の穴部２ｄの半径方向の長さＬ１（図８参照）は、後述する支持軸４の幅Ｗ２（図５参照）よりも大きくなるように形成されている。これにより、液晶表示部支持部材２が回動する際に、板状の支持軸４の下面と扇形状の穴部２ｄの弧状部分とが接触しないように構成されている。
【００２７】
また、一対の台座側支持部材３は、図４および図５に示すように、それぞれ、台座取付部３ａと、回動部取付部３ｂとを含んでいる。また、台座側支持部材３の台座取付部３ａには、４つのねじ取付孔３ｃが設けられている。また、台座側支持部材３の回動部取付部３ｂは、台座取付部３ａの一方端部から台座取付部３ａの表面に対して垂直方向の上方に延びるように設けられている。
【００２８】
また、本実施形態では、台座側支持部材３の回動部取付部３ｂには、扇形状の穴部３ｄが設けられている。なお、穴部３ｄは、本発明の「第２穴部」の一例である。また、扇形状の穴部３ｄは、図５および図１１に示すように、板状の支持軸４を挿入するために設けられている。また、扇形状の穴部３ｄは、図７に示すように、円心側の根元部３ｅが下側に位置するように配置されているとともに、支持軸４の下面と当接される。これにより、扇形状の穴部３ｄの根元部３ｅが、液晶表示部支持部材２および支持軸４を介して液晶表示部４０の垂直荷重を受けるように構成されている。つまり、本実施形態では、液晶表示部材支持部材２の穴部２ｄの根元部２ｅと、台座側支持部材３の穴部３ｄの根元部３ｅとによって液晶表示部４０の垂直荷重を受けるように構成されている。また、扇形状の穴部３ｄは、図７および図９に示すように、垂直方向から一方に開く角度α２（４５度）の中心角と他方に開く角度β２（５度）の中心角とを有する。また、図７に示すように、扇形状の穴部３ｄの根元部３ｅの幅Ｗ３（図９参照）は、後述する支持軸４の厚みｔ１（図５参照）と実質的に同じ大きさを有する。また、支持軸４は、扇形状の穴部３ｄの根元部３ｅを中心にして、台座側支持部材３に対して扇形状の角度範囲（本実施形態では、α２＋β２＝５０度）で回動可能に構成されている。また、図９に示すように、扇形状の穴部３ｄの半径方向の長さＬ２（図８参照）は、後述する支持軸４の幅Ｗ２（図５参照）よりも大きく形成されている。これにより、支持軸４が回動する際に、板状の支持軸４の上面と扇形状の穴部３ｄの弧状部分とが接触しないように構成されている。
【００２９】
また、板金製の板状の支持軸４は、図４および図５に示すように、一対の当接部４ａと、長方形状の穴部４ｂとを含んでいる。支持軸４の一対の当接部４ａは、支持軸４の長手方向に延びる両側面の後端部に突出するように設けられている。この当接部４ａは、図１０〜図１２に示すように、台座側支持部材３側の板バネ６と当接させるために設けられている。また、支持軸４の長方形状の穴部４ｂは、図５および図１０〜図１２に示すように、抜け止め部材５を挿入するために設けられている。また、長方形状の穴部４ｂの短手方向の長さＬ３（図５参照）は、後述する抜け止め部材５の厚みｔ２（図６参照）とほぼ同じ大きさを有する。また、穴部４ｂは、後述する抜け止め部材５の幅Ｗ４（図６参照）よりも大きく、かつ、幅Ｗ５（図６参照）よりも小さい長手方向の長さＬ４（図５参照）を有する。
【００３０】
また、図６に示すように、板金製の抜け止め部材５は板状に形成されているとともに、長手方向に延びる一方側面５ａに突出するように設けられた当接部５ｂと、他方側面５ｃに設けられた面取部５ｄとを含んでいる。また、抜け止め部５は、図１０〜図１２に示すように、支持軸４の当接部４ａとの間に液晶表示部支持部材２、台座側支持部材３、板バネ６および板バネ７を挟んだ状態で、板バネ６および板バネ７を撓ませながら支持軸４の穴部４ｂに挿入されている。また、抜け止め部材５の当接部５ａに対応する部分は、支持軸４の穴部４ｂの長手方向の長さＬ４（図５参照）よりも大きい幅Ｗ５（図６参照）を有する。この当接部５ａは、抜け止め部材５を支持軸４の穴部４ｂに挿入する際に、支持軸４の表面と当接することにより抜け止め部材５が支持軸４の穴部４ｂから抜け落ちるのを抑制するために設けられている。また、抜け止め部材５の他方側面５ｃは、板バネ６および板バネ７の押圧力を受ける。また、面取部５ｄは、抜け止め部５を支持軸４の穴部４ｂに挿入する際に、挿入しやすくするために設けられている。
【００３１】
また、板バネ６および板バネ７は、ステンレス鋼からなる。この板バネ６および板バネ７は、それぞれ、図５および図１１に示すように、支持軸４を挿入するための長方形状の穴部６ａおよび７ａを有する。また、上述したように、支持軸４の当接部４ａとの間に液晶表示部支持部材２、台座側支持部材３、板バネ６および板バネ７を挟んだ状態で、抜け止め部５が支持軸４の穴部４ｂに挿入されていることにより、板バネ６および板バネ７は、撓んだ状態で保持される。この撓みを元に戻そうとするバネ力によって、板バネ６および板バネ７は、液晶表示部支持部材２および台座側支持部材３を、板状の支持軸４を回動軸として回動可能に押圧する機能を有する。なお、板バネ６および板バネ７は、本発明の「バネ部材」の一例である。
【００３２】
また、液晶表示部４０は、図１および図２に示すように、液晶画面４１ａを含む液晶モジュール４１と、フロントキャビネット４２と、リアキャビネット４３とを含んでいる。また、液晶表示部４０の液晶モジュール４１は、液晶表示部支持部材２のねじ挿入孔２ｃを介して、ねじ取付孔（図示せず）にねじ６０が締め付けられることにより、液晶表示部支持部材２に取り付けられている。また、リアキャビネット４３には、液晶表示部支持部材２を配置するための切欠部４３ａが設けられている。なお、液晶表示部４０は、本発明の「表示画面」の一例である。
【００３３】
また、台座５０は、図１〜図４に示すように、台座本体部５１と、カバー部材５２と、支持脚５３とを含んでいる。また、台座５０の台座本体部５１には、底面側から台座本体部５１のねじ挿入孔（図示せず）を介して、台座側支持部材３のねじ取付孔３ｃにねじ６１が締め付けられることにより、台座側支持部材３が取り付けられている。また、台座５０のカバー部材５２は、底面側から台座本体部５１のねじ挿入孔５１ａを介して、カバー部材５２のねじ取付孔（図示せず）にねじ（図示せず）が締め付けられることにより、台座本体部５１に取り付けられている。また、カバー部材５２には、液晶表示部支持部材２を配置するための切欠部５２ａが設けられている。この切欠部５２ａは、液晶表示部４０が矢印Ａ方向に９０度またはＢ方向に１０度回動した場合に、液晶表示部支持部材２とカバー部材５２とが接触しないように形成されている。また、支持脚５３は、台座本体部５１の底面に取り付けられている。
【００３４】
図１３〜図１６は、本発明の一実施形態による表示画面支持機構の回動動作を説明するための図である。次に、図７および図１３〜図１６を参照して、本発明の一実施形態による表示画面支持機構１の回動動作を説明する。
【００３５】
まず、ユーザーは、図７に示した液晶表示部支持部材２が垂直に支持されている状態から液晶表示部４０を矢印Ａ方向に押圧する。その場合、液晶表示部支持部材２の扇状の穴部２ｄの根元部２ｅと支持軸４の上面とが当接しながら、液晶表示部支持部材２と支持軸４とが一体的に台座側支持部材３の扇状の穴部３ｄの根元部３ｅを回動中心として、矢印Ｃ方向に回動する。そして、液晶表示部支持部材２と支持軸４とが４５度（角度α２）回動されると、図１３に示すように、支持軸４の側面は、台座側支持部材３の扇形状の穴部３ｄの一方縁に当接する。この状態で、ユーザーが更に液晶表示部４０を矢印Ａ方向に押圧すると、図１３に示すように、液晶表示部支持部材２が、扇状の穴部２ｄの根元部２ｅを回動中心として支持軸４に対して矢印Ｄ方向に回動される。そして、液晶表示部支持部材２が、矢印Ｄ方向に４５度（角度α１）回動されると、図１４に示すように、支持軸４は、液晶表示部支持部材２の扇状の穴部２ｄの一方縁に当接し、矢印Ａ方向への回動が止まる。このように、本実施形態では、液晶表示部４０が矢印Ａ方向に９０度回動可能である。
【００３６】
また、ユーザーが、図７に示した液晶表示部支持部材２が垂直に支持されている状態から液晶表示部４０を矢印Ｂ方向に押圧する。その場合、液晶表示部支持部材２の扇状の穴部２ｄの根元部２ｅと支持軸４の上面とが当接しながら、液晶表示部支持部材２と支持軸４とが一体的に台座側支持部材３の扇状の穴部３ｄの根元部３ｅを回動中心として、矢印Ｅ方向に回動する。そして、液晶表示部支持部材２と支持軸４とが５度（角度β２）回動されると、図１５に示すように、支持軸４は、台座側支持部材３の扇形状の穴部３ｄの他方縁に当接する。この状態で、ユーザーが更に液晶表示部４０を矢印Ｂ方向に押圧すると、図１５に示すように、液晶表示部支持部材２が、扇状の穴部２ｄの根元部２ｅを回動中心として支持軸４に対して矢印Ｆ方向に回動される。そして、液晶表示部支持部材２が、矢印Ｆ方向に５度（角度β１）回動されると、図１６に示すように、支持軸４は、液晶表示部支持部材２の扇状の穴部２ｄの他方縁に当接し、矢印Ｂ方向への回動が止まる。このように、本実施形態では、液晶表示部４０が矢印Ｂ方向に１０度回動可能である。
【００３７】
また、液晶表示部４０の矢印Ａ方向への回動角度が０度〜９０度、または矢印Ｂ方向への回動角度が０度〜１０度の任意の回動角度で、ユーザーが液晶表示部４０の押圧を止めると、上述したように、板バネ６および板バネ７が液晶表示部支持部材２と台座側支持部材３とを押圧しているため、液晶表示部支持部材２と台座側支持部材３との摩擦力によって液晶表示部支持部材２の回動角度は維持される。
【００３８】
本実施形態では、上記のように、板状に形成された板金製の支持軸４を設けるとともに、液晶表示部４０を支持する液晶表示部支持部材２に、板状の支持軸４が挿入される扇形状の穴部２ｄを設け、かつ、台座５０側に設けられる台座側支持部材３に、板状の支持軸４が挿入される扇形状の穴部３ｄを設けることによって、板状の支持軸４を回動軸として用いることができる。これにより、回動軸として丸軸を用いることなく、液晶表示部４０を所定の角度傾斜させることができる。この場合、板状に形成された板金製の支持軸４は、プレス加工により容易に穴加工や形状の加工を行うことができるので、丸軸の外周面に沿って溝加工などを行う場合と異なり、回動軸の加工が複雑になることもない。また、液晶表示部支持部材２を、板状の支持軸４を回動中心として、液晶表示部支持部材２の扇形状の穴部２ｄの角度範囲（５０度）と台座側支持部材３の扇形状の穴部３ｄの角度範囲（５０度）との和の角度範囲（１００度）で回動可能に形成することによって、穴部２ｄの角度範囲または穴部３ｄの角度範囲を９０度よりも大きく設定することなく、板状の支持軸４により、大きい角度範囲（１００度）で液晶表示部支持部材２を回動させることができる。
【００３９】
また、本実施形態では、上記のように、扇形状の穴部２ｄを垂直方向から穴部２ｄの一方縁までの角度が４５度になるように設定し、扇形状の穴部３ｄを垂直方向から穴部３ｄの一方縁までの角度が４５度になるように設定することによって、液晶表示部４０を矢印Ａ方向に９０度傾斜させることができる。これにより、図２に示すように、台座５０と液晶表示部４０とを平行に配置することができる。このため、梱包体積を小さくすることができるので、製品出荷時において、一度に運搬することのできる数を増やすことができる。
【００４０】
また、本実施形態では、上記のように、液晶表示部支持部材２を矢印Ａ方向または矢印Ｂ方向に回動させた場合に、最初に、液晶表示部支持部材２および支持軸４が、台座側支持部材３の扇形状の穴部３ｄの円心側の根元部３ｅを回動中心として台座側支持部材３の扇形状の穴部３ｄの角度範囲で回動し、その後、液晶表示部支持部材２が、液晶表示部支持部材２の扇形状の穴部２ｄの円心側の根元部２ｅを回動中心として液晶表示部支持部材２の扇形状の穴部２ｄの角度範囲で回動するように構成することによって、支持軸４は、液晶表示部支持部材２を回動する際に、円心側の根元部３ｅの両端部および円心側の根元部２ｅの両端部によって回動中心である支持軸４の位置がずれることが抑制される。このため、容易に、扇形状の角度範囲で液晶表示部支持部材２および支持軸４を回動させることができる。
【００４１】
また、本実施形態では、上記のように、液晶表示部支持部材２の穴部２ｄの根元部２ｅおよび台座側支持部材３の穴部３ｄの根元部３ｅが液晶表示部４０の垂直荷重を受けるように構成することによって、回動中心である根元部２ｅおよび根元部３ｅに液晶表示部４０の垂直荷重が加わるため、液晶表示部４０の回動動作を安定させることができる。
【００４２】
また、本実施形態では、上記のように、扇形状の穴部２ｄおよび扇形状の穴部３ｄの半径方向の長さＬ１を、板状の支持軸４の半径方向の幅Ｗ２よりも大きく形成することによって、液晶表示部４０を回動させる際に、穴部２ｄおよび穴部３ｄの弧状部分に支持軸４が接触することを抑制することができる。これにより、液晶表示部４０の回動動作を安定させることができる。
【００４３】
また、本実施形態では、上記のように、板状の支持軸４の厚みｔ１と、穴部２ｄの根元部２ｅおよび穴部３ｄの根元部３ｅの支持軸４の厚み方向の幅Ｗ１およびＷ３とを実質的に等しくなるように構成することによって、支持軸４が回動中心となる根元部２ｅおよび根元部３ｅからずれることを抑制することができる。これにより、液晶表示部４０の回動動作を安定させることができる。
【００４４】
また、本実施形態では、上記のように、液晶表示部支持部材２と台座側支持部材３とを、板バネ６および板バネ７により互いに押圧することによって、液晶表示部支持部材２と台座側支持部材３との間に、液晶表示部４０の回動を抑制する摩擦力を発生させることができる。これにより、液晶表示部４０が自重によって回動することを抑制することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、液晶表示装置に表示画面支持機構を設ける例を示したが、本発明はこれに限らず、有機ＥＬ表示装置やプラズマパネルディスプレイなどの液晶表示装置以外の表示装置に表示画面支持機構を設けるようにしてもよい。
【００４７】
また、本実施形態では、液晶表示部支持部材２の扇形状の穴部２ｄおよび台座側支持部材３の扇形状の穴部３ｄを、それぞれ、垂直方向から一方に４５度（角度α１およびα２）、の中心角を有するように形成した例を示したが、本発明はこれに限らず、表示画面側支持部材の第１穴部および台座側支持部材の第２穴部を、垂直方向から一方または他方に角度γ１（＜９０度）およびγ２（＜９０度）（γ１＋γ２≧９０度）の中心角を有するように形成してもよい。このように構成すれば、表示画面を垂直位置から容易に９０度以上回動させて水平位置に配置させることができる。
【００４８】
また、本実施形態では、２つの板バネ６および板バネ７によって液晶表示部支持部材２と台座側支持部材３とを挟み込むように押圧する例を示したが、本発明はこれに限らず、板バネ６および板バネ７のうちのいずれか一方のみを設けるようにしてもよいし、板バネ以外のバネ部材を設けるようにしてもよい。
【図面の簡単な説明】
【００４９】
【図１】本発明の一実施形態による表示画面支持機構が設けられた液晶表示装置の全体構成を示した側面図である。
【図２】本発明の一実施形態による表示画面支持機構が設けられた液晶表示装置の全体構成を示した側面図である。
【図３】図１に示した本発明の一実施形態による液晶表示装置の液晶表示部を取り外した状態を示した斜視図である。
【図４】図１に示した本発明の一実施形態による表示画面支持機構の全体構成を示した斜視図である。
【図５】図４に示した本発明の一実施形態による表示画面支持機構の全体構成を示した分解斜視図である。
【図６】図４に示した本発明の一実施形態による表示画面支持機構の抜け止め部材を示した斜視図である。
【図７】図４の１００―１００線に沿った断面図である。
【図８】図４に示した本発明の一実施形態による表示画面支持機構の液晶表示部支持部材の正面図である。
【図９】図４に示した本発明の一実施形態による表示画面支持機構の台座側支持部材の正面図である。
【図１０】図４の矢印Ｐ方向から見た状態を部分的に示した図である。
【図１１】図４の２００−２００線に沿った断面図である。
【図１２】図４の矢印Ｑ方向から見た状態を部分的に示した図である。
【図１３】図４に示した本発明の一実施形態による表示画面支持機構の回動動作を説明するための断面図である。
【図１４】図４に示した本発明の一実施形態による表示画面支持機構の回動動作を説明するための断面図である。
【図１５】図４に示した本発明の一実施形態による表示画面支持機構の回動動作を説明するための断面図である。
【図１６】図４に示した本発明の一実施形態による表示画面支持機構の回動動作を説明するための断面図である。
【符号の説明】
【００５０】
１      表示画面支持機構
２      液晶表示部支持部材（表示画面側支持部材）
２ｄ    穴部（第１穴部）
２ｅ    根元部  
３      台座側支持部材
３ｄ    穴部（第２穴部）
３ｅ    根元部  
４      支持軸
６、７  板バネ（バネ部材）
４０    液晶表示部（表示画面）
５０    台座
【図１】
2007248542.tif 000003
【図２】
2007248542.tif 000004
【図３】
2007248542.tif 000005
【図４】
2007248542.tif 000006
【図５】
2007248542.tif 000007
【図６】
2007248542.tif 000008
【図７】
2007248542.tif 000009
【図８】
2007248542.tif 000010
【図９】
2007248542.tif 000011
【図１０】
2007248542.tif 000012
【図１１】
2007248542.tif 000013
【図１２】
2007248542.tif 000014
【図１３】
2007248542.tif 000015
【図１４】
2007248542.tif 000016
【図１５】
2007248542.tif 000017
【図１６】
2007248542.tif 000018